【手続補正書】
【提出日】平成19年1月9日(2007.1.9)
【手続補正１】
【補正対象書類名】特許請求の範囲
【補正対象項目名】全文
【補正方法】変更
【補正の内容】
【特許請求の範囲】
【請求項１】
第２のオペレーティング・システムが第１のオペレーティング・システムより強力である２つのオペレーティング・システムの間でソフトウエア・アプリケーションのローディングと実行とを調整する方法であって、
前記第２のオペレーティング・システムを用いて、
（ａ）多数のファイルの種類とこれに関連するアプリケーションとに関する情報を集め、
（ｂ）ファイル名識別子に少なくとも部分的に基づいて関連するアプリケーションを選択するための情報を含む物理ファイルを作り、
前記第１のオペレーティング・システムから前記第２のオペレーティング・システムに前記物理ファイルを転送し、
前記第１のオペレーティング・システムを用いて、
（ａ）前記物理ファイルを調べて前記物理ファイル内に記憶されている情報を識別し、
（ｂ）各ファイルの種類とこれに関連するアプリケーションとを登録する、
ステップを含む、調整する方法。
【請求項２】
前記登録するステップは、
新しいファイル情報と既存のファイル情報とを比較し、
新しいファイル情報を更新する、
ステップを含む、請求項１記載の調整する方法。
【請求項３】
前記第２のオペレーティング・システムを用い、前記物理ファイルを転送し、前記第１のオペレーティング・システムを用いるステップを繰り返す、請求項２記載の調整する方法。
【請求項４】
ユーザはファイルを実行することを要求し、
前記要求されたファイルに関連する情報を検索し、
前記検索された情報に関連するアプリケーションをチェックする、
ステップを更に含む、請求項１記載の調整する方法。
【請求項５】
前記第２のオペレーティング・システムを目覚めさせて前記要求されたファイルに関連する情報を確認する、
ステップを更に含む、請求項４記載の調整する方法。
【請求項６】
前記要求されたファイルに関連するアプリケーションに関する情報を前記第１のオペレーティング・システムから前記第２のオペレーティング・システムに転送し、
前記第２のオペレーティング・システムは前記アプリケーションをロードして実行し、
前記アプリケーション内の前記要求されたファイルを開く、
ステップを更に含む、請求項４記載の調整する方法。
【請求項７】
個人用電子装置であって、
比較的多数のソフトウエア・アプリケーションをサポートし、またプログラム・ファイルの種類とアプリケーションとを関連づける登録を有する第２のオペレーティング・システムと、
比較的限られた数のソフトウエア・アプリケーションをサポートし、前記第２のオペレーティング・システム登録のコピーを定期的に検索して第１のオペレーティング・システム登録を作るよう形成された第１のオペレーティング・システムと、
を備え、
ユーザがファイルを実行することを要求したときに、前記関連するアプリケーションをロードして実行することを前記第１のオペレーティング・システムが前記第２のオペレーティング・システムに要求するように前記第１のオペレーティング・システムは形成される、
個人用電子装置。
【請求項８】
前記第１のオペレーティング・システムは、新しいファイル情報と既存のファイル情報とを比較して新しいファイル情報を更新するよう形成される、請求項７記載の個人用電子装置。
【請求項９】
前記第１のオペレーティング・システムは、要求されたファイルに関連する情報を検索して、前記検索された情報に関連するアプリケーションをチェックするよう形成される、請求項７記載の個人用電子装置。
【請求項１０】
前記第１のオペレーティング・システムは、前記第２のオペレーティング・システムを目覚めさせて前記要求されたファイルに関連する情報を確認するよう形成される、請求項９記載の個人用電子装置。
【請求項１１】
前記第１のオペレーティング・システムは、前記要求されたファイルに関連するアプリケーションに関する情報を前記第２のオペレーティング・システムに転送するよう形成され、
前記第２のオペレーティング・システムは前記アプリケーションをラウンチし若しくはロードして実行して前記アプリケーション内の前記要求されたファイルを開くよう形成される、
請求項９記載の個人用電子装置。
【請求項１２】
個人用電子装置であって、
第１のオペレーティング・システムと比較的限られた数の機能とをサポートして、Ｍビットを含むディスプレイ出力を与えるよう形成された第１のプロセッサと、
第２のオペレーティング・システムと比較的多数の機能とをサポートして、Ｍとは異なるＮビットを含むディスプレイ出力を与えるよう形成された第２のプロセッサと、
前記第１のプロセッサと第２のプロセッサとに結合して、前記第１のプロセッサと第２のプロセッサからのディスプレイ・ビットを正規化して正規化されたディスプレイ出力を生成するよう形成されたディスプレイ・コントローラと、
前記ディスプレイ・コントローラに結合して、前記正規化されたディスプレイ出力に基づいて画像を表示するよう形成されたディスプレイと、
を備える個人用電子装置。
【請求項１３】
第１のプロセッサと第２プロセッサからの画像データをディスプレイ上に表示する方法であって、
前記第１のプロセッサからのＭ個のディスプレイ・ビットを正規化されたディスプレイ出力に変換し、
前記第１のプロセッサからの、Ｍ個とは異なるＮ個のディスプレイ・ビットを正規化されたディスプレイ出力に変換し、
ユーザ要求に応じて画像を前記ディスプレイ上に選択的に表示する、
ステップを含む画像データを表示する方法。
【請求項１４】
熱状態に応じる個人用電子装置であって、
第１のオペレーティング・システムと比較的限られた数の機能とをサポートして、比較的限られた量の熱を生成する第１のプロセッサと、
第２のオペレーティング・システムと比較的多数の機能とをサポートして、比較的大量の熱を生成する第２のプロセッサと、
前記第１のプロセッサに結合して熱信号を生成するよう形成された熱センサさと、
を備え、
前記第１のプロセッサは前記熱信号に少なくとも部分的に基づいて前記第２のプロセッサの動作を制御するよう形成される、
個人用電子装置。
【請求項１５】
パーソナル・コンピュータの機器ドライブとして活動する個人用電子装置であって、
機能の或る集合を実行するよう形成された非埋込みプロセッサと、
前記非埋込みプロセッサに比べて機能の限られた集合を実行するよう形成され、また前記非埋込みプロセッサの動作を制御するよう形成された埋込みプロセッサと、
前記埋込みプロセッサに結合して、そこからのコマンドに応答するディスク・ドライブと、
前記パーソナル・コンピュータに接続するよう形成された端末と、
を備える個人用電子装置。
【請求項１６】
個人用電子装置であって、
機能の或る集合を実行するよう形成された非埋込みプロセッサと、
前記非埋込みプロセッサに比べて機能の限られた集合を実行するよう形成され、また前記非埋込みプロセッサの動作を制御するよう形成された埋込みプロセッサと、
前記埋込みプロセッサと非埋込みプロセッサとに結合して、前記埋込みプロセッサと非埋込みプロセッサからの情報を選択的に表示するよう形成されたディスプレイと、
前記埋込みプロセッサと非埋込みプロセッサとに結合して、ユーザが前記埋込みプロセッサと非埋込みプロセッサとに命令を与えることを可能にする入力装置と、
を備え、
前記埋込みプロセッサは、キーパッド・ソフトウエア・アプリケーションを用いて前記表示を可能にするアプリケーション・プロトコルのある集合を含むキーパッド制御プログラムを動作させるよう形成される、
個人用電子装置。
【請求項１７】
個人用電子装置であって、
機能の或る集合を実行するよう形成された非埋込みプロセッサと、
前記非埋込みプロセッサに比べて機能の限られた集合を実行するよう形成され、また前記非埋込みプロセッサの動作を制御するよう形成された埋込みプロセッサと、
前記埋込みプロセッサと非埋込みプロセッサとに結合して、前記埋込みプロセッサと非埋込みプロセッサからの情報を選択的に表示するよう形成されたディスプレイと、
前記埋込みプロセッサと非埋込みプロセッサとに結合して、ユーザが前記埋込みプロセッサと非埋込みプロセッサとに命令を与えることを可能にする入力装置と、
を備え、
前記埋込みプロセッサと非埋込みプロセッサとは同時に選択的に動作するよう形成される、
個人用電子装置。
【請求項１８】
機能の比較的限られた集合を実行するよう形成された埋込みプロセッサと、
前記埋込みプロセッサに比べて機能の一層大きな集合を実行するよう形成された非埋込みプロセッサと、前記埋込みプロセッサと非埋込みプロセッサとに結合して前記埋込みプロセッサと非埋込みプロセッサからの情報を選択的に表示するよう形成されたディスプレイと、前記埋込みプロセッサと非埋込みプロセッサとに結合してユーザが前記埋込みプロセッサと非埋込みプロセッサとに命令を与えることを可能にする入力装置とを備える個人用電子装置を動作させる方法であって、
前記埋込みプロセッサと非埋込みプロセッサとを同時に選択的に動作させる、
ステップを含む個人用電子装置を動作させる方法。
【請求項１９】
個人用電子装置であって、
機能の或る集合を実行するよう形成された非埋込みコアと、前記非埋込みコアに比べて機能の限られた集合を実行するよう形成されまた前記非埋込みコアの動作を制御するよう形成された埋込みコアとを有するプロセッサと、
前記プロセッサに結合して前記埋込みプロセッサと非埋込みプロセッサからの情報を選択的に表示するよう形成されたディスプレイと、
前記埋込みプロセッサと非埋込みプロセッサとに結合してユーザが前記埋込みプロセッサと非埋込みプロセッサとに命令を与えることを可能にする入力装置と、
を備える個人用電子装置。
【請求項２０】
プロセッサであって、
機能の或る集合を実行するよう形成された非埋込みコアと、
前記非埋込みコアに比べて機能の限られた集合を実行するよう形成され、また前記非埋込みコアの動作を制御するよう形成された埋込みコアと、
を備えるプロセッサ。
【請求項２１】
機能の或る集合を実行するよう形成された非埋込みコアと、前記非埋込みコアに比べて機能の限られた集合を実行するよう形成された埋込みコアとを有するプロセッサを動作させる方法であって、
前記埋込みコア内の機能の限られた集合を実行し、
前記埋込みコアを用いて前記非埋込みコアを制御する、
ステップを含む、プロセッサを動作させる方法。